(57)【要約】【課題】器具の安全監視を複数の保安判定手段で行い適切に安全確保することを目的とする。【解決手段】流量を流量検出手段１０で計測し、流量演算手段１１で瞬時流量を演算し、平均流量を求め、瞬時流量を流量格納手段に時系列的に記憶し、流量変化有無判定し、流量を流量登録手段に登録或いは削除すると共に、流量登録値と監視値記憶判定値とから異常判定を行う第１の異常判定手段と、器具毎の流量パターンを特徴記憶手段に予め記憶し、流量格納手段と特徴記憶手段とから器具を推定する器具推定手段と、器具毎の異常判定値を記憶する器具監視値記憶手段と、器具毎の監視値と器具推定手段とから使用器具毎の異常判定を行い第２の異常判定手段と、第１或いは第２の異常判定手段で異常判定成立時ガスの供給を遮断する遮断手段とからなる。【選択図】図２
2010175125.tif 000002
【特許請求の範囲】
【請求項１】
流量監視し異常判定を行う第１の保安判定手段と、使用流量パターンより器具推定し異常判定を行う第２の保安判定手段とを備え、並行して異常判定監視するガス遮断装置であって、ガス流量を計測する流量検出手段と、瞬時流量を演算する流量演算手段と、前記流量演算手段で求めた瞬時流量を時系列的に記憶する流量格納手段と、求めた瞬時流量値より平均流量を求める平均流量演算手段と、前記平均流量演算手段で求めた平均流量と過去の平均流量とから流量変化有無を判定する流量変化判定手段と、前記流量変化判定手段で使用した平均流量を記憶する流量記憶手段と、流量変化判定時変化流量を登録或いは削除する流量登録手段と、使用状態の異常を監視する判定値を記憶する監視値記憶手段と、前記流量登録手段の登録流量と監視値記憶手段の判定値とを比較し異常判定を行う第１の異常判定手段と、器具毎の流量パターンを予め記憶している特徴記憶手段と、前記流量格納手段と前記特徴記憶手段の出力信号を比較し器具流量を推定する器具推定手段と、器具毎の異常判定値を記憶する器具監視値記憶手段と、前記器具監視値記憶手段と前記器具推定手段とを比較し使用器具毎の異常判定を行い第２の異常判定手段と、前記第１或いは前記第２の異常判定手段で異常判定成立時ガスの供給を遮断する遮断手段とを備えたガス遮断装置。
【請求項２】
請求項１項記載のガス遮断装置の手段の全てもしくは一部としてコンピュータを機能させるためのプログラム。
【発明の詳細な説明】
【技術分野】
【０００１】
本発明は、ガス遮断装置に関し、器具の使用監視を並行して行い、器具の異常使用を検出すると確実にガスを遮断し、事故を防止するガス遮断装置に関するものである。
【背景技術】
【０００２】
従来この種のガス遮断装置は図３に示すように、ガスメータ１０３を中心に、ガスの供給管１０１、メータコック１０２、緊急遮断弁１０４等からなり、電力消費を避ける為、瞬時流量で閉弁する。流量測定装置１０５は、ガスメーターに取り付けられた流量センサで、例えばパルスのようなディジタル信号を発信する。制御装置１０６は、ガスの供給管に取り付けられた流量測定装置１０５と、ガスの供給管に取り付けられた緊急遮断弁１０４と、個々のガス器具のガス消費量及びこれに対応する継続使用安全時間を記憶させるガス器具記憶手段と、流量測定装置１０５により一定の時間間隔毎の供給ガスの全体流量を測定し、この全体流量に変化が認められた場合、この増加分に相当する１台のガス器具がその使用を開始したと判断して、このガス器具の消費量を順次登録し、全体流量に減少が認められた場合、この減少分に相当するガス消費量のガス器具が停止したと判断してガス器具の使用状況を登録する器具別ガス流量記憶手段と、流量測定装置により測定している供給ガスの全体流量に変化が検出されると時間の計測を開始し、次に変化が検出される迄時間計測を続行し、この続行時間が器具別ガス流量記憶手段に記憶されている現在使用中のガス器具の消費量のうち最も大きい消費量のものに対応する継続使用安全時間を超えたとき、緊急遮断弁１０４を閉止する信号を送る判定手段とからなる。制御装置１０６の電源１０７は電池を使用する。なお緊急遮断弁用の電池１０８を備える。この構成により、制御装置１０６にマイコン等を使用し、供給ガスの流れを監視し異常と判定されるとき供給ガスの停止を指示し緊急遮断弁１０４を作動させるものである（例えば特許文献１参照）。
【０００３】
一般的にガス器具のガス消費量が決まっており、通常家庭内で使われるガス器具は次のような範囲である。例えば６Ｂガスの場合、大型器具の口火は０．０２〜０．０６ｍ３／ｈ、炊飯器は０．２〜０．４ｍ３／ｈ、ストーブは０．３〜０．７ｍ３／ｈ、湯沸器は１．５〜６．０ｍ３／ｈ、風呂釜は１．２〜２．２ｍ３／ｈである。一方それぞれの器具が連続的に使用される時間はストーブのように１０時間程度使用されるものから湯沸器のように長くても１５〜３０分程度しか使われないものもある。やはり器具の種類によっておおよその範囲が決まっている。従って例えば全体で３ｍ３／ｈの流量が計測されていると通常それは湯沸器であると判断される為、なんらの流量変化がなく１５〜３０分流れている場合は正常であるが、６０分を超えて流れている場合は器具が正常に使用されておらずガス栓からガスが流出しているような異常が発生しているのでガスを遮断すべきと判断する。３ｍ３／ｈ程度の流量が計測されていてもその流量に変動が観察される場合、他の器具が使用開始、或いは使用停止されたことを意味する為正常な家庭生活が営まれていると判断し遮断する必要がない。
【０００４】
２台以上の器具が同時に使用される場合、例えば２ｍ３／ｈの風呂釜と０．５ｍ３／ｈのストーブを２台、計３台の器具を同時に１時間以上使用する場合、合計流量が３ｍ３／ｈのガス流量が計測される為、湯沸器の異常使用と判断して遮断する可能性がある。制御装置のガス器具記憶手段にはガス器具毎に想定されるガス消費量と継続使用安全時間を予め記憶しておく。例えば表１の流量区分と継続使用安全時間とが記憶させておく。
【０００５】
【表１】
2010175125.tif 000003
【０００６】
制御装置には流量計測装置１０５、即ち流量センサが接続され流量計測するが、発信信号を受け平均流量を計算する。平均流量が変化せず何分継続するかを追跡し平均流量を構成している個別器具の流量と、制御装置１０６内に予め記憶させておいた流量区分ごとの定められた継続時間とを比較し、オーバーした場合、異常使用と判定して緊急遮断弁１０４に閉止信号を発する。
【０００７】
今ガスが流れていない状態（流量が零）が計測されていたものが、ある時刻Ｔ１において流量Ｑ１が計測されたとする。この時器具が１台使用され、流量はＱ１と判断し最大流量器具の流量としてＱ１を器具別ガス流量記憶手段の第１位に登録し、同時に継続使用安全時間の測定を開始する。次に時刻Ｔ２において、流量の増加が計測され、その増加量がＱ２であり、Ｑ１＜Ｑ２であったとすると、制御装置１０６は最大器具流量としてＱ２を器具別ガス流量記憶手段の第１位に、Ｑ１を第２位に登録しなおし、継続使用安全時間を再度計測開始する。更に時刻Ｔ３で流量の増加が計測され、増加量がＱ３で、Ｑ１＜Ｑ３＜Ｑ２であったとする。同様に器具別ガス流量記憶手段には第１位にＱ２、第２位にＱ３、第３位にＱ１が登録され、継続使用安全時間が又計測開始される。次に時刻Ｔ４で流量減少が計測され変化後流量がＱ４であり、Ｑ３＜Ｑ４＜Ｑ２であったとすると、制御装置１０６はガス流量Ｑ２の器具は停止したと判断し、器具別ガス流量記憶手段には第１位にはＱ３を、第２位にはＱ１を繰り上げ、継続使用安全時間の測定を開始する。
【０００８】
例えば時刻Ｔ３からＴ４において、第１位の流量Ｑ２が、対応する表１の流量区分別継続使用安全時間が５０分であったとすると、時刻Ｔ３からＴ４の間に５０分が経過すると異常と判定して緊急遮断弁１０４が作動する。
【０００９】
又一定の時間パルス信号の発信がないことの確認ができ、常時内管からのガスの漏洩状況を監視できる。ガス器具の正常使用時の諸現象をガスの流量変化でとらえ、異常時と区別する。
【特許文献１】特開昭６１−５９４２３号公報
【発明の開示】
【発明が解決しようとする課題】
【００１０】
しかしながら、上記従来の構成では、器具が使用されると全体流量を測定し全体流量の増加流量分を器具別ガス流量記憶手段に登録され、継続使用安全時間を計測しガス流量記憶手段に記憶されている消費量に対応した継続使用安全時間を超えるとガス通路の遮断を行うという機能は有しているものの、例えば給湯器等はシャワー等を使用する場合設定湯温に到達するようにガス流量をさまざまに制御し、又衣類乾燥機等は衣類乾燥の為に設定温度付近の温風に出すようにガス流量の制御を行うため常に瞬時流量が変化し、器具別ガス流量記憶手段という名称であるが、実際はひとつの器具であるのに器具別ガス機能流量記憶手段には複数のガス流量に分割されて登録されるという流量登録手段であり、合算流量が本来の器具流量であり、その流量に対応した継続使用安全時間をもとに監視されるは
ずが、分割されている為少ない消費量区分の継続使用安全時間で監視されることがあり、本来の監視時間以上に長い時間ガス器具が使用されることになり、特に使用流量の大きな器具を使用する場合等は安全性の面で課題を有していた。
【００１１】
本発明は、上記課題を解決するもので、器具使用開始後流量計測し使用流量を求め使用監視すると共に、並行して使用器具の流量等の特徴を検出しどの器具を使用しているかを特定識別し、特定すると器具に適した監視を行うことにより、誤遮断がなく、安全性の高いガス遮断装置を提供するものである。
【課題を解決するための手段】
【００１２】
上記従来の課題を解決するために、本発明のガス遮断装置は、流量監視し異常判定を行う第１の保安判定手段と、使用流量パターンより器具推定し異常判定を行う第２の保安判定手段とを備え並行して異常判定監視するガス遮断装置で、流量検出手段でガス流量を計測し、検出値より流量演算手段で瞬時流量を演算し、平均流量演算手段で平均流量を求め、流量格納手段で瞬時流量を時系列的に記憶する共に、求めた平均流量と過去の平均流量とから変化流量の有無を判定する流量変化判定手段と、流量変化判定手段で使用した平均流量を記憶する流量記憶手段と、流量変化検出時変化流量を登録或いは削除する流量登録手段と、使用状態の異常を監視する判定値を記憶する監視値記憶手段と、流量登録手段の登録流量と監視値記憶手段の判定値とを比較し異常判定を行う第１の異常判定手段と、器具毎の流量パターンを予め記憶している特徴記憶手段と、流量格納手段と特徴記憶手段の出力信号を比較し器具流量を推定する器具推定手段と、器具毎の異常判定値を記憶する器具監視値記憶手段と、器具監視値記憶手段と器具推定手段とを比較し使用器具毎の異常判定を行い第２の異常判定手段と、第１或いは前記第２の異常判定手段で異常判定成立時ガスの供給を遮断する遮断手段とを備えたものである。
【００１３】
上記発明によれば、器具を使用開始すると変化流量を検出し器具流量として登録し監視すると共に、並行して流量格納手段に記憶された流量と特徴記憶手段に格納された流量パターンとを器具推定手段で比較判定し器具を特定し、器具特定できたら器具監視値記憶手段の器具毎の監視値に基づき第２の異常判定手段で監視するので、器具使用途中の流量変化で流量登録手段のデータが変化し第１の異常判定手段で、例えば安全継続時間の監視時間がかわり、監視のやり直しが発生しても、第２の異常判定手段で器具特定し安全時間監視しているので、第２の異常判定手段で器具の異常使用を停止することができ、本来複数の器具使用中であるのに一つの器具と間違って使用時間監視し早期に使用時間遮断し、ガス事業者の不要な出動回数が増大したり、暖房器具のように本来長時間使用可能であるのに短時間で停止し使い勝手の低下するのを防止することができ、かつ安全性の高いガス遮断装置を提供することができる。
【発明の効果】
【００１４】
本発明のガス遮断装置は、器具使用開始すると流量検出し使用流量を求め流量登録手段に登録し使用監視すると共に、並行して流量の時系列信号を格納し器具使用開始／停止或いは制御中の特徴を求め器具推定を行い、器具推定が確定したならば、器具毎の監視判定に切替えるので、本来単一の器具使用中であるのに複数の器具と間違って使用時間監視し早期に使用時間遮断し、ガス事業者の不要な出動回数が増大したり、暖房器具のように本来長時間使用可能であるのに短時間で停止し使い勝手の低下するのを防止することができる。
【発明を実施するための最良の形態】
【００１５】
本発明は、流量監視し異常判定を行う第１の保安判定手段と、使用流量パターンより器具推定し異常判定を行う第２の保安判定手段とを備え並行して異常判定監視するガス遮断装置であって、ガス流量を計測する流量検出手段と、瞬時流量を演算する流量演算手段と
、求めた瞬時流量を時系列的に記憶する流量格納手段と、求めた瞬時流量より平均流量を求める平均流量演算手段と、求めた平均流量と過去の平均流量とから流量変化有無を判定する流量変化判定手段と、前記流量変化判定手段で使用した平均流量を記憶する流量記憶手段と、流量変化判定時変化流量を登録或いは削除する流量登録手段と、使用状態の異常を監視する判定値を記憶する監視値記憶手段と、前記流量登録手段の登録流量と監視値記憶手段の判定値とを比較し異常判定を行う第１の異常判定手段と、器具毎の流量パターンを予め記憶している特徴記憶手段と、前記流量格納手段と前記特徴記憶手段の出力信号を比較し使用器具を推定する器具推定手段と、器具毎の異常判定値を記憶する器具監視値記憶手段と、器具監視値と推定した器具とを比較し使用器具毎の異常判定を行う第２の異常判定手段と、前記第１或いは前記第２の異常判定手段で異常判定成立時ガスの供給を遮断する遮断手段とからなる。
【００１６】
そして、器具を使用開始するとその流量変化を検出し、検出した流量を流量登録手段に登録し使用監視すると共に、並行して流量の時系列的に格納し器具使用開始／停止或いは制御中の特徴を求め器具推定を行い、器具推定が確定したならば、器具毎の異常監視値に基づく使用監視判定に切替えるので、本来単一の器具使用中であるのに複数の器具と間違って使用時間監視し早期に使用時間遮断し、ガス事業者の不要な出動回数が増大したり、暖房器具のように本来長時間使用可能であるのに短時間で停止し使い勝手の低下するのを防止することができ、かつ安全性が高い。
【００１７】
また本発明は、前記ガス遮断装置の手段の全てもしくは一部をコンピュータに実行させるためのプログラムである。
【００１８】
そして、プログラムであるのでマイコン等を用いて本発明のガス遮断装置の一部あるいは全てを容易に実現することができる。また記録媒体に記録したり通信回線を用いてプログラムを配信したりすることでプログラムの配布やインストール作業が簡単にできる。
【００１９】
（実施の形態１）
図１は本発明の実施の形態１におけるガス遮断装置とガス器具の設置形態を示す構成図、図２は同ガス遮断装置の制御ブロック図である。
【００２０】
各家庭のガス供給管１の入口部分にガス遮断装置２が設置され、このガス遮断装置２を経由した後のガス配管３から分岐して家庭で使用する種々のガス器具が設置された場所まで配管されガスが供給される。例えば、屋外にはガス給湯器４が設置され、このガス給湯器４で生成される湯が水配管を介して台所の給湯栓５、浴槽やシャワー装置が設置された風呂６、リビング等に設置された床暖房７に供給され、種々の使用形態を形成している。また、屋内にあっては、台所に設置されたガステーブル８、リビングや寝室等に設置されたガスファンヒータ９にガスが供給され、必要に応じて適宜使用される。
【００２１】
そして、ガス遮断装置２には、ガス入口とガス出口を有したガス流路が形成され、ガス流量を計測する流量検出手段１０と異常時にガスを遮断する遮断手段１９等で構成される。なお、流量検出手段１０としては種々の方式があり、本実施の形態で示す流路内に設置された一対の超音波センサで超音波信号を一方から他方に発信しその伝搬時間より使用ガス流量を検出するものや、流路内に熱線式センサを設け流れにより変化するインピーダンスより流量を求めるもの、さらには計量膜によりガス量を検出し計量膜の機械的動作を磁石とリードスイッチあるいは磁気抵抗素子等により電気的パルス信号として流量を検出するものがある。
【００２２】
そこで、超音波センサを用いた流量検出手段１０について簡単に説明すると、超音波を送信または受信する第１送受信器と受信または送信する第２送受信器が流れ方向に対抗し
て配置され、送受信の切り換えにより、ガス等の流体の流れ状態を検出している。この第１送受信器と第２送受信器の信号を処理して流量を計測するもので、上流から下流に超音波を送信する。そして第２送受信器で受信しタイマカウンタのような計時手段で計測する。切換手段で下流から上流に向かって超音波信号を送信し、伝搬時間を計測する。そして、第１送受信器と第２送受信器との超音波の伝搬時間差から流路の大きさや流体の流れ状態を考慮して流量演算手段１１で瞬時流量を求める。瞬時流量は予め定めた周期毎に求められる。求めた瞬時流量は時系列的に流量格納手段１２に格納される。
【００２３】
そして、所定周期で求められる瞬時流量は平均流量演算手段１３に入力され、ここで所定個数の瞬時流量値を集合して平均化され平均流量として算出される。求めた平均流量を流量記憶手段１４に時系列に記憶する。流量変化判定手段１５では、平均流量演算手段１２で求めた今回の平均流量値と流量記憶手段１４に格納された前回演算時、或いはＮ回前演算時の平均流量とを比較して、予め定めた変化値以上の変化があるか否かを判定し、器具の使用開始有無を流量変化有無として判断する。例えば、需要家が給湯器４を使用すると流量値はゼロから所定の流量まで変化、あるいはガステーブル等の器具を使用中に給湯器４等が使用されると求めた平均流量と流量記憶手段１４の過去の平均流量記憶値とから流量変化率あるいは流量変化量が所定以上あったか否かで器具の使用／停止、或いは流量変化の有無を判断する。
【００２４】
そして、流量変化判定手段１５で流量変化を検出すると、器具の使用開始、あるいは使用停止と判定して、流量登録手段１６に登録流量値として登録したり、或いは停止と判定して同相当の流量を削除する。例えば、増加流量の変化が検出される度に器具が追加使用されたと判断して、都度流量変化分を器具流量値として新規登録する。反対に、器具の使用が停止された場合は、流量減少側の変化が検出されるが、流量登録手段１６に登録されている登録流量値のうち流量変化量に近い登録流量値をその器具が停止されたと判断し削除する。
【００２５】
そして、監視値記憶手段１７は、流量域に対応した連続使用制限時間、あるいは使用最大流量の監視判定値などが記憶されている。例えばストーブ等へガスを供給するホースが何らかの原因で外れた時、異常な大流量が発生するが、そのような状態を監視するための合計流量遮断値や、器具の通常使用する最大使用時間よりはるかに長く使用された場合に対応して使用時間の制限時間を規定した使用時間遮断制限時間を設定した監視値を記憶している。第１の異常判定手段１８は、監視値記憶手段１７の設定値と流量登録手段１６の登録流量値とを比較判定することで、登録流量値が使用最大流量値を超えていないか、あるいは器具使用時間が登録流量値に対応した器具連続使用制限時間を超えていないか等判定する。この第１の異常判定手段１８で異常を判定したとき遮断手段１９に遮断信号を送ってガスの供給を停止する。また、遮断状態や遮断内容を液晶表示素子等に表示すると共にガスの安全監視を行っているセンターに通信手段２０などを通じて通報する。
【００２６】
流量記憶手段１３、流量変化検出手段１４、流量登録手段１５、監視値記憶手段１７、第１の異常判定手段１８は第一の保安判定手段２１を構成している。
【００２７】
一方、特徴記憶手段２２は、器具毎の瞬時流量の時系列的な流量パターンを予め記憶している。器具推定手段２３は、流量格納手段１２の時系列的に格納した流量パターンと特徴記憶手段２２の記憶している流量パターンの時系列信号とを比較し、どの器具を使用開始されたかを推定する。器具監視値記憶手段２４は、器具毎の異常判定値を記憶する。第２の異常判定手段２５は、器具監視値と推定した器具とを比較し使用器具毎の異常判定を行う。第１の異常判定手段１８と第２の異常判定手段２５は、異常判定を並行して行っているが、第２の異常判定手段２５が異常監視成立すると、第１の異常判定手段１８に優先して異常判定を行い、異常成立時遮断手段１９に停止信号を出力し、ガスの供給を遮断す
る。流量格納手段１２、特徴記憶手段２２、器具推定手段２３、器具監視値記憶手段２４、第２の異常判定手段２５とから第２の保安判定手段２６を構成する。
【００２８】
次に、以上のように構成されたガス遮断装置の動作を説明する。需要家宅で保有しているガス器具、例えばガスストーブ９や給湯器４等が使用されるとその流量を流量検出手段１０で検出する。例えば超音波センサを用いた場合は超音波信号の伝搬時間が検出値として計測され、この信号が流量演算手段１１に送られて瞬時流量値として算出され、平均流量演算手段１３で所定個数の瞬時流量より平均流量値として演算され、求められた平均流量は流量記憶手段１４に定期的に、かつ時系列的に複数個記憶される。この流量記憶手段１４に記憶された過去の平均流量とから流量変化の有無を求める。つまり、所定間隔で出力される平均流量値を用いてその変化状態から器具の使用あるいは器具の停止を判断するとともに、その変化時の流量変化分をもって使用器具の登録流量とし、流量登録手段１６に新規登録したり、既に登録済みの登録流量を削除したりすることで、変化時点の使用器具に対応した変化流量を登録する。
【００２９】
そして、第１の異常判定手段１８はこの設定された登録流量の最大流量値で監視値記憶手段１７内の該当の使用時間制限時間を参照して使用器具を監視する。
【００３０】
また並行して、流量演算手段１１で求めた瞬時流量は流量格納手段１２に時系列的格納される。器具推定手段２３は、特徴記憶手段２２に予め時系列的に記憶された流量パターンや判定流量パラメータ等を用いて、流量格納手段１２に格納されている時系列的な流量信号とから、使用されているガス器具を推定する。この時、器具流量の立上り流量の変化や、検出された絶対流量値の大きさや、器具内部の制御による流量変化パターン等より、給湯器４であるのか、ガステーブル８か、ガスファンヒータ９かを推定し、確定すると例えば器具Ａ、器具Ｂ、器具Ｃ等のコード信号で第２の異常判定手段２４に出力される。
【００３１】
そして、第２の異常判定手段２４は器具推定手段２３より器具特定されたコード信号を基に器具監視値記憶手段２４の器具毎の監視判定値をもとに監視開始する。同時に第１の異常判定手段１８に器具推定完了信号を送信する。第１の異常判定手段１８は器具推定完了信号を受信すると異常判定は継続するが、異常判定は第２の異常判定手段２５が優先となる。即ち並行して第１の異常判定手段１８による監視と第２の異常判定手段２５による器具監視とが行われるが、器具推定手段２３による器具特定が完了すると、器具毎の異常監視が優先される。第１の異常判定手段１８が先に異常判定しても器具推定完了している場合、第２の異常判定手段２５が優先判定し、異常成立時に遮断手段１９に遮断信号が出力される。途中で器具推定手段２３により器具推定不能となった場合、第２の異常判定手段２５に器具推定不能信号が出力され、直ちに第１の異常判定手段１８に送信され、第１の異常判定手段１８で流量監視を行う。
【００３２】
例えば、ガステーブル８やガスファンヒータ９を使用中に給湯器４の使用形態において、特に床暖房等に使用した場合は運転初期の負荷が大きい場合と安定状態の負荷が小さい場合においては燃焼量が大きく変化する。このような場合、流量登録手段１５にガステーブル８やガスファンヒータ９の流量が登録され、更に給湯器４の流量が登録される。給湯器４の運転初期に流量変化がありとして給湯器４の使用が判定され、この時点の平均流量値が登録流量として流量登録手段１５に登録されることになる。そして、運転が継続されると暖房負荷が徐々に減少していき、燃焼量すなわちガス流量が比例制御により減少方向に制御される。流量変化判定手段１４により、このときの変化量によって、ガステーブル８やガスファンヒータ９の流量が、実際は使用しているが、流量登録を削除される場合がある。そして給湯器４の使用を停止するとガステーブル８とガスファンヒータ９の合計流量が１つの器具として流量登録手段１５に残る場合がある。
【００３３】
つまり、給湯器４使用中に給湯器の流量変化量とガステーブル８やガスファンヒータ９の流量と同じ流量の流量変化が発生することがある。結果ガステーブル８やガスファンヒータ９が停止したと判定して、流量登録手段１５より流量登録値を削除する。この状態で暖房負荷が飽和して給湯器４が停止すると流量変化判定手段１５で流量変化ありと判断して、このときの流量変化分を流量登録手段１５に登録された登録流量から削除される。しかし、給湯器４が停止した時、既にガステーブル８やガスファンヒータ９の流量がなくなっているので、合計流量が一つの器具として流量登録手段１５に残っている。実際に使用していない１つの器具流量として、第１の異常判定手段１８で監視値記憶手段１７の設定値と比較する場合の登録流量の対象となってしまう。つまり、実際に使用している器具の流量よりも大きな値の登録流量で使用器具の監視が行われることになり、連続使用制限時間が短縮されたりして予想外の短時間で遮断手段１９が誤遮断してしまうという使い勝手の悪さが想定される。
【００３４】
しかし、並行して流量格納手段１２に器具Ａ、器具Ｂが使用される毎瞬時流量が格納され、時系列的に記憶している。器具推定手段２３使用器具がファンヒータと判定すると器具信号Ａが第２の異常判定手段２４に出力され、かつ第１の異常判定手段１８に送信され、器具監視値記憶手段２４よりファンヒータに該当する最大監視流量や使用時間の制限値が第２の異常判定手段２５に入力され判定される。その結果第１の異常判定手段１８で誤った異常判定をしても第２の異常判定手段２５が優先的に異常判定を行い、使用器具を監視する。監視時間が経過し異常発生時、遮断手段１９を作動させてガスの供給を停止することで安全性を確保するようにしている。
【００３５】
なお、本実施の形態に使用した数値限定は一例であり、又使用形態も本実施の形態に限定されるものではない。
【００３６】
以上のように、第１の保安判定手段２１と第２の保安判定手段２６とが並行して使用器具の監視を行い、第２の保安判定手段２６で器具推定成立すると第１の保安判定手段２１に器具推定完了信号を出力し、第２の保安判定手段２６で器具監視するので、使用器具に対応した適切な使用制限機能を確保することで誤遮断を防止することができ、かつ使い勝手の高いガス遮断装置を提供することができる。
【産業上の利用可能性】
【００３７】
以上のように、本発明に係るガス遮断装置は、使用器具の安全監視を適切に確保できるものであり、都市ガス、プロパンガス、水素ガス等による各種事故の発生を未然に防止する器具監視装置全般に適用できるものである。
【図面の簡単な説明】
【００３８】
【図１】本発明の実施の形態１におけるガス遮断装置とガス器具の設置形態を示す構成図
【図２】同ガス遮断装置の制御ブロック図
【図３】従来のガス遮断装置の構成図
【符号の説明】
【００３９】
１０  流量検出手段
１１  流量演算手段
１２  流量格納手段
１３  平均流量演算手段
１４  流量記憶手段
１５  流量変化判定手段
１６  流量登録手段
１７  監視値記憶手段
１８  第１の異常判定手段
１９  遮断手段
２０  通信手段
２１  第１の保安判定手段
２２  特徴記憶手段
２３  器具推定手段
２４  器具監視値記憶手段
２５  第２の異常判定手段
２６  第２の保安判定手段
【図２】
2010175125.tif 000004
【図３】
2010175125.tif 000005
【図１】
2010175125.tif 000006